(57)【要約】【目的】限定的な空間内において、その空間を利用する利用者個人の現在地と目的地を表示して案内する案内システム及びその案内システムで使用する携帯機器を提供する。【解決手段】限定的空間内のサーバーと、携帯機器の通信手段により限定的空間内の情報をダウンロードして表示手段に表示し、限定的空間内に複数配置した位置情報送出手段の情報を受信する位置情報受信手段により限定的空間内の位置情報を受信し、携帯機器又は限定的空間内に設置されたサーバーの演算手段により現在地を演算して携帯機器の表示手段に現在地を表示し、携帯機器の入力手段により限定的空間内における目的の場所情報を入力することにより携帯機器又は施設内サーバーの演算手段により目的の場所を表示手段に表示することにより、限定的な空間内を利用する利用者の現在地と目的地を表示して案内する案内システム及びその案内システムで使用する携帯機器を提供することができる。【選択図】図１
2009092634.tif 000002
【特許請求の範囲】
【請求項１】
限定的空間内に設置されたサーバー２と、携帯機器１のサーバーとの通信手段４により限定的空間内の情報をダウンロードして携帯機器１の表示手段５に表示し、限定的空間内に複数配置した位置情報送出手段１２の情報を受信する位置情報受信手段７により限定的空間内の位置情報を受信し、携帯機器１又は限定的空間内に設置されたサーバー２の演算手段１０により現在地を演算して携帯機器１の表示手段５に現在地を表示し、携帯機器１の入力手段９により限定的空間内における目的の場所情報を入力することにより携帯機器１又は施設内サーバー２の演算手段１０により目的の場所を携帯機器１の表示手段５に表示することを特徴とする限定的空間内の案内システム。
【請求項２】
限定的空間内に設置されたサーバー２と、携帯機器１のサーバーとの通信手段４により限定的空間内の情報をダウンロードして携帯機器１の表示手段５に表示し、利用手段３に組み込まれた位置情報送出手段１２より送出される位置情報を限定的空間内に複数配置された位置情報送受信手段８により受信し、位置情報送受信手段８が受信した位置情報をサーバー２又は携帯機器１に送信し、携帯機器１又は限定的空間内に設置されたサーバー２の演算手段１０により現在地を演算して携帯機器１の表示手段５に現在地を表示し、携帯機器１の入力手段９により限定的空間内における目的の場所情報を入力することにより携帯機器１又は施設内サーバー２の演算手段１０により目的の場所を携帯機器１の表示手段５に表示することを特徴とする限定的空間内の案内システム。
【請求項３】
携帯機器１の情報読み取り手段６により限定的空間内に配置された情報手段１５又は利用者が有する限定的空間内にのみ有効な情報手段１５より情報を読み取ることにより限定的空間内に設置されたサーバー２との通信を開始することを特徴とする請求項１又は請求項２記載の限定的空間内の案内システム。
【請求項４】
携帯機器１の情報読み取り手段６により限定的空間内に配置された情報手段１５又は利用者が有する限定的空間内にのみ有効な情報手段１５より情報を読み取ることにより限定的空間内に設置されたサーバー２との通信を開始し、利用者が限定的空間内において有効であるかを認証することを特徴とする請求項１又は請求項２記載の限定的空間内の案内システム。
【請求項５】
利用者の現在地と目的の場所とを携帯機器１の表示手段５に線分で表示することを特徴とする請求項１又は請求項２記載の限定的空間内の案内システム。
【請求項６】
限定的空間内に設置されたサーバー２との通信を行うサーバーとの通信手段４を有し、利用者が必要とする個人情報を入力する入力手段９を有し、利用者が必要とする情報を表示する表示手段５を有することを特徴とする携帯機器。
【請求項７】
限定的空間内に設置されたサーバー２との通信を行うサーバーとの通信手段４を有し、限定的空間内に複数配置した位置情報送出手段１２の情報を受信する位置情報受信手段７を有し、利用者が必要とする個人情報を入力する入力手段９を有し、利用者が必要とする情報を表示する表示手段５を有することを特徴とする携帯機器。
【請求項８】
限定的空間内に設置されたサーバー２からの情報と、位置情報送出手段１２からの位置情報と、利用者により入力された個人情報を演算して結果を表示手段５に送出する演算手段１０を有していることを特徴とする請求項６又は請求項７記載の携帯機器。
【請求項９】
限定的空間内に配置された情報手段１５又は利用者が有する限定的空間内にのみ有効な情報手段１５を読み取ることができる情報読み取り手段６を有していることを特徴とする請求項６又は請求項７記載の携帯機器。
【発明の詳細な説明】
【技術分野】
【０００１】  本発明は、限定的な空間内において、その空間を利用する利用者個人の現在地と目的地を表示して案内する案内システム及びその案内システムで使用する携帯機器に関する。
【背景技術】
【０００２】  従来の案内システムとしては、ＧＰＳを利用したカーナビゲーションシステムが良く知られていた。又、地下や建物内及び市街地内の各要所に、位置情報の書き込まれた無線ＩＣタグを設置し、それらの情報を移動体側で無線ＩＣタグリーダーを使用して取得することで、どこでも位置情報を取得可能とする無線ＩＣタグによる位置情報取得システム（特許文献１）が知られていた。
【特許文献１】特許公開２００６−２１７５５６
【発明の開示】
【発明が解決しようとする課題】
【０００３】  従来のＧＰＳを利用したカーナビゲーションシステムでは、目的地や目的施設までのナビゲートはできても、施設内で指定された指定席等の特定の場所やトイレといった施設内の特定の場所まではナビゲートできないといった課題を有する。【０００４】  又、特許文献１のＩＣタグを利用して位置情報を取得するシステムでは、現在地がどこであるかといったことは判明しても、目的地がどこであるかといった情報を得ることができないといった課題を有し、更には現在地と目的地の相対位置関係も把握することができないといった課題を有する。【０００５】  更には、既存のナビゲートシステムにおいてはＱＲカラーコード等のコード情報を取得してサーバーと通信し、必要な情報を得るといったシステムは見当たらないのである。
【課題を解決するための手段】
【０００６】  本発明の限定的空間内の案内システムは、限定的空間内に設置されたサーバー２と、携帯機器１のサーバーとの通信手段４により限定的空間内の情報をダウンロードして携帯機器１の表示手段５に表示し、限定的空間内に複数配置した位置情報送出手段１２の情報を受信する位置情報受信手段７により限定的空間内の位置情報を受信し、携帯機器１又は限定的空間内に設置されたサーバー２の演算手段１０により現在地を演算して携帯機器１の表示手段５に現在地を表示し、携帯機器１の入力手段９により限定的空間内における目的の場所情報を入力することにより携帯機器１又は施設内サーバー２の演算手段１０により目的の場所を携帯機器１の表示手段５に表示することを特徴とする。【０００７】  又、限定的空間内に設置されたサーバー２と、携帯機器１のサーバーとの通信手段４により限定的空間内の情報をダウンロードして携帯機器１の表示手段５に表示し、利用手段３に組み込まれた位置情報送出手段１２より送出される位置情報を限定的空間内に複数配置された位置情報送受信手段８により受信し、位置情報送受信手段８が受信した位置情報をサーバー２又は携帯機器１に送信し、携帯機器１又は限定的空間内に設置されたサーバー２の演算手段１０により現在地を演算して携帯機器１の表示手段５に現在地を表示し、携帯機器１の入力手段９により限定的空間内における目的の場所情報を入力することにより携帯機器１又は施設内サーバー２の演算手段１０により目的の場所を携帯機器１の表示手段５に表示することを特徴とする。【０００８】  又、携帯機器１の情報読み取り手段６により限定的空間内に配置された情報手段１５又は利用者が有する限定的空間内にのみ有効な情報手段１５より情報を読み取ることにより限定的空間内に設置されたサーバー２との通信を開始することを特徴とする。【０００９】  携帯機器１の情報読み取り手段６により限定的空間内に配置された情報手段１５又は利用者が有する限定的空間内にのみ有効な情報手段１５より情報を読み取ることにより限定的空間内に設置されたサーバー２との通信を開始し、利用者が限定的空間内において有効であるかを認証することを特徴とする。【００１０】  利用者の現在地と目的の場所とを携帯機器１の表示手段５に線分で表示することを特徴とする。【００１１】  本発明の携帯機器１は、限定的空間内に設置されたサーバー２との通信を行うサーバーとの通信手段４を有し、利用者が必要とする個人情報を入力する入力手段９を有し、利用者が必要とする情報を表示する表示手段５を有することを特徴とする。【００１２】  又、限定的空間内に設置されたサーバー２との通信を行うサーバーとの通信手段４を有し、限定的空間内に複数配置した位置情報送出手段１２の情報を受信する位置情報受信手段７を有し、利用者が必要とする個人情報を入力する入力手段９を有し、利用者が必要とする情報を表示する表示手段５を有することを特徴とする。【００１３】  限定的空間内に設置されたサーバー２からの情報と、位置情報送出手段１２からの位置情報と、利用者により入力された個人情報を演算して結果を表示手段５に送出する演算手段１０を有していることを特徴とする。【００１４】  限定的空間内に配置された情報手段１５又は利用者が有する限定的空間内にのみ有効な情報手段１５を読み取ることができる情報読み取り手段６を有していることを特徴とする。
【発明の効果】
【００１５】  本発明の案内システムでは、施設内に設置されたサーバー２から得られる施設内の情報と、施設内に複数設置されたＩＣタグ等による位置情報送出手段１２から得られる位置情報と、利用者が入力手段９により入力する目的地情報を、携帯機器１又は施設内に設置されたサーバー２の演算手段１０により計算することで、利用者の現在地と目的地がどこであるかを表示手段５により相対的にわかりやすく表示して案内するので、施設内で指定された指定席等の特定の場所やトイレといった施設内の特定の場所までを容易にナビゲートすることができるのである。【００１６】  又、携帯機器１の情報読み取り手段６によりＱＲカラーコード１６等の情報手段１５よりコード情報等を読み取り、その情報を元に施設内に設置されたサーバー２と通信して必要な情報を得ることができるのである。【００１７】  さらには、目的地がどこか不明な場合には従来のように案内人に聞いて教えてもらうといった人を介して解決を図る必要がなく、携帯機器１とＩＣタグ等による位置情報送出手段１２、サーバー２により電子的に解決できるのである。【００１８】  このように本発明の案内システムを用いれば、限定的空間を利用する利用者を混乱なくスムーズに目的場所までナビゲートでき、サーバー２との双方向通信でいろいろなイベント情報等も入手可能で、トイレや非常口等の確認、さらには同伴者の居場所検索といったはぐれた場合にも応用が可能で利便性が向上するのである。
【発明を実施するための最良の形態】
【００１９】  イベント会場、劇場、野球場や駅の構内、列車の車内等といった限定的な空間内において、その空間を利用する利用者個人が現在地と目的地を表示手段５に表示して案内する案内システム及びその案内システムで使用する携帯機器１について、図面を参照して詳細に説明する。【００２０】  図１は携帯機器に演算機能を有する案内システム及び携帯機器の概念図であり、演算手段１０を有する携帯機器１による案内システムの概念を示したものである。以下、限定的な空間内を案内するシステムについて構成を説明する。【００２１】  携帯機器１の構成は、限定的な空間内に設置されたサーバー２との通信を行うサーバーとの通信手段４と、限定的な空間内に複数設置されたＩＣタグ等を有する位置情報送出手段１２の情報を受信する位置情報受信手段７と、目的の場所情報を入力する入力手段９と、限定的な空間内に任意に配置された、又は入場券等に印刷されたＱＲカラコード１６やバーコードといった情報手段１５を読み取る情報読み取り手段６と、それらの入力された情報を処理する演算手段１０と、結果を表示する表示手段５とを有して構成されている。【００２２】  又、限定的な空間内にはサーバー２が設置され、サーバー２と携帯機器１のサーバーとの通信手段４の間を直接又はアクセスポイント１３を介して双方向で無線通信することができる。【００２３】  限定的空間内には位置情報を送出するＩＣタグ等による位置情報送出手段１２が複数設置されて、携帯機器１の位置情報受信手段７により位置情報を無線通信により取得することができる。【００２４】  この案内システム及び携帯機器１の動作を説明すると、限定的空間内を利用する利用者は、携帯機器１に有しているカメラ等の情報読み取り手段６により、限定的空間内に任意に設置された、又は入場券等に印刷されたＱＲカラーコード１６等の情報手段１５からのサーバー２のアドレス情報や個人情報を読み取り、演算手段１０を介してサーバーとの通信手段４により限定的な空間内に設置されたサーバー２と直接又はアクセスポイント１３を介して通信を開始する。【００２５】  サーバー２との通信では、ＱＲカラーコード１６等の情報手段１５から得た個人情報等をサーバー２に送信することにより、サーバー２では利用者が正規の利用者であるか否かといった認証動作を行い、正規の利用者である場合には施設内の地図等の情報及び限定的な空間内を案内するのに必要なソフトウェア等を利用者の携帯機器１に送信することにより、利用者の携帯機器１では演算手段１０を介して地図等の情報及び必要なソフトウェアをデータ格納領域１１に格納し、情報を携帯機器１のディスプレイ２２等の表示手段５により表示する。【００２６】  限定的な空間内を案内する地図等の情報を表示手段５により表示した後、利用者の携帯機器１の周囲に複数配置された位置情報を送出するＩＣタグ等による位置情報送出手段１２より無線により送出される位置情報を携帯機器１の位置情報受信手段７により受信し、演算手段１０で現在地が計算されて表示手段５に現在地が表示される。【００２７】  続いて、入場券等に記載された指定席番号等の目的地情報をキー入力等による入力手段９より利用者が入力することで、入力された目的地情報は演算手段１０により計算されて目的地を表示手段５に表示する。【００２８】  現在地と目的地の相対関係は、現在地と目的地の位置情報及び限定的な空間内を案内する地図等の情報を演算手段１０により計算して、現在地から目的地までのルートを線分で表示手段５に表示することにより、利用者は進むべき方向と目的地を容易に把握することができるのである。【００２９】  利用者は表示手段５により現在地を目的地の相対位置が把握できるので、限定的空間内の指定席等の目的地に向かえば良いのである。【００３０】  利用者が目的地に向かって移動することにより、位置情報を送出するＩＣタグ等による位置情報送出手段１２からの位置情報が変化するので、位置情報受信手段７により受信した、変化した位置情報を演算手段１０により計算して現在地の情報を更新し、更新した情報を表示手段５に送って現在地を変化させるのである。【００３１】  以上の動作を繰り返すことにより、利用者が移動しても利用者は常に現在地と目的地の相対関係を把握することができるので、施設内を迷うことなく指定席等の目的地に到着することができるのである。【００３２】  例えば指定席を案内するシステムであれば、座席の配列も含めて限定的な空間内を案内する地図等の情報と、利用者の現在地と目的地とを演算手段１０により計算して最短ルートを線分で表示することにより、利用者は目的地までを最短で行くことができるのである。【００３３】  図２は携帯機器に演算機能を有する別の案内システム及び携帯機器の概念図であり、携帯機器１は演算機能１０を有するが位置情報受信手段７を有さず、入場券等の利用手段３に組み込まれた位置情報送出手段１２からの情報を限定的空間内に複数配置された位置情報送受信手段８を介して利用者の位置を特定する携帯機器に演算機能を有する別の案内システム及び携帯機器の概念図である。【００３４】  携帯機器１の構成は、限定的な空間内に設置されたサーバー２との通信を行うサーバーとの通信手段４と、限定的な空間内に複数設置されたＩＣタグ等が組み込まれた入場券等の利用手段３からの情報を受信して携帯機器１又はサーバー２に送信する位置情報送受信手段８と、目的の場所情報を入力する入力手段９と、限定的な空間内に任意に配置された、又は入場券等に印刷されたＱＲカラコード１６やバーコードといった情報手段１５を読み取る情報読み取り手段６と、それらの入力された情報を処理する演算手段１０と、結果を表示する表示手段５とを有して構成されている。【００３５】  又、限定的な空間内にはサーバー２が設置され、サーバー２と携帯機器１のサーバーとの通信手段４の間を直接又はアクセスポイント１３を介して双方向で無線通信することができる。【００３６】  限定的空間内にはＩＣタグ等が組み込まれた入場券等の利用手段３からの情報を受信して携帯機器１又はサーバー２に送信する位置情報送受信手段８が複数設置されて、入場券等の利用手段３からの位置情報を無線通信により取得することができる。【００３７】  この案内システム及び携帯機器１の動作を説明すると、限定的空間内を利用する利用者は、携帯機器１に有しているカメラ等の情報読み取り手段６により、限定的空間内に任意に設置された、又は入場���等に印刷されたＱＲカラーコード１６等の情報手段１５からのサーバー２のアドレス情報や個人情報を読み取り、演算手段１０を介してサーバーとの通信手段４により限定的な空間内に設置されたサーバー２と直接又はアクセスポイント１３を介して通信を開始する。【００３８】  サーバー２との通信では、ＱＲカラーコード１６等の情報手段１５から得た個人情報等をサーバー２に送信することにより、サーバー２では利用者が正規の利用者であるか否かといった認証動作を行い、正規の利用者である場合には施設内の地図等の情報及び限定的な空間内を案内するのに必要なソフトウェア等を利用者の携帯機器１に送信することにより、利用者の携帯機器１では演算手段１０を介して地図等の情報及び必要なソフトウェアをデータ格納領域１１に格納し、情報を携帯機器１のディスプレイ２２等の表示手段５により表示する。【００３９】  限定的な空間内を案内する地図等の情報を表示手段５により表示した後、限定的空間内に複数配置された位置情報を送受信する位置情報送受信手段８により利用者が有する入場券等の利用手段３に組み込まれたＩＣタグ等による位置情報送出手段１２からの情報を無線により受信し、受信した情報を携帯機器１に直接又はアクセスポイント１３を介して送出することにより、携帯機器１では利用者の位置情報をサーバーとの通信手段４により受信し、演算手段１０により現在地が計算されて表示手段５に現在地が表示される。【００４０】  続いて、入場券等に記載された指定席番号等の目的地情報をキー入力等による入力手段９より利用者が入力することで、入力された目的地情報は演算手段１０により計算されて目的地を表示手段５に表示する。【００４１】  現在地と目的地の相対関係は、現在地と目的地の位置情報及び限定的な空間内を案内する地図等の情報を演算手段１０により計算して、現在地から目的地までのルートを線分で表示手段５に表示することにより、利用者は進むべき方向と目的地を容易に把握することができるのである。【００４２】  利用者は表示手段５により現在地を目的地の相対位置が把握できるので、限定的空間内の指定席等の目的地に向かえば良いのである。【００４３】  利用者が目的地に向かって移動することにより、位置情報を送出するＩＣタグ等を組み込んだ入場券等の利用手段３からの情報を受信した位置情報送受信手段８からの情報が変化するので、位置情報送受信手段８により受信した、変化した位置情報を演算手段１０により計算して現在地の情報を更新し、更新した情報を表示手段５に送って現在地を変化させるのである。【００４４】  以上の動作を繰り返すことにより、利用者が移動しても利用者は常に現在地と目的地の相対関係を把握することができるので、施設内を迷うことなく指定席等の目的地に到着することができるのである。【００４５】  図３はサーバーに演算機能を有する案内システム及び携帯機器の概念図であり、限定的な空間内に設置されたサーバー２に演算手段１０を有し、演算手段１０を有しない携帯機器１による案内システムの概念を示したものである。【００４６】  携帯機器１のサーバーとの通信手段４、表示手段５、情報読み取り手段６、位置情報受信手段７、入力手段９、データ格納領域１１は���ス１４で接続され、各種の情報を計算して処理する演算手段１０は施設内に設置されたサーバー２にて行うものである。【００４７】  この例では、案内システムの構成としては演算手段１０による情報の処理が、携帯機器１のバス１４及びサーバーとの通信手段４を介してサーバー２にて行う点が図１による例と異なるのみで、他の基本的な構成は図１の例と同様である。【００４８】  又、動作においては、演算手段１０はサーバー２内に有しているので、携帯機器１を動作させるプログラムをサーバー２から送出する必要がなく、携帯機器１の動作を全てサーバー２より行う点が異なる。【００４９】  なお、必要によりサーバー２側より携帯機器１を動作させるための最小限のプログラムを送出することもあり得る。【００５０】  なお、図３のサーバーに演算機能を有する案内システム及び携帯機器の概念図の例においては、図１の携帯機器に演算機能を有する案内システム及び携帯機器の概念図の例を基準に説明してあるが、図２の携帯機器に演算機能を有する別の案内システム及び携帯機器の概念図の例においてもサーバー２に演算手段１０を有することにより、演算手段１０を有さない携帯機器１を使用することができるのである。
【実施例１】
【００５１】  図４は劇場内を案内する表示画面の例図であり、限定的空間として劇場を想定した場合の案内画面である。【００５２】  携帯機器１としては劇場に入場する利用者の携帯電話２１を想定し、表示手段５として携帯電話２１のディスプレイ２２とし、入力手段９は携帯電話２１のテンキーとし、情報読み取り手段６は携帯電話２１のカメラとし、サーバーとの通信手段４、位置情報受信手段７は携帯電話２１のアンテナを介して行い、演算手段１０、データ格納領域１１は携帯電話２１の中に有しているものとする。【００５３】  又、劇場内の天井等にはアクセスポイント１３を有し、劇場内の事務室等に設置されたサーバー２との通信を行うように設定されており、劇場内の座席一つ一つ及びトイレや非常口等の施設及び要所要所にはＩＣタグが埋め込まれて位置情報送出手段１２を構成し、劇場の入場券には情報手段１５としてのＱＲカラーコード１６が印刷されているものとする。【００５４】  劇場入口にてＱＲカラーコード１６付の入場券を入手した劇場の利用者は、劇場内に入った後にＱＲカラーコード１６を読み込むことができる自分の携帯電話２１にて入場券に印刷されたＱＲカラーコード１６の情報を読み込むことにより、携帯電話２１はＱＲカラーコード１６にて指定されたアドレスのサーバー２と通信を開始するのである。【００５５】  携帯電話２１とサーバー２との通信が確立すれば、携帯電話２１からはＱＲカラーコード１６より得たサーバー２のアドレス以外の情報をサーバー２に送信することにより、サーバー２では利用者が正規の利用者であるか否かの認証を行い、利用者が正規の利用者である場合は、サーバー２より劇場内の案内図データ及び携帯電話２１が劇場内で正常に案内ができるようなプログラムデータを携帯電話２１に送出する。【００５６】  劇場内の案内図データ及びプログラムデータを受信した携帯電話２１は、それらのデータを携帯電話２１内のデータ格納領域１１に格納し、サーバー２より送出されたプログラムデータに基づいて動作を開始し、劇場内の案内図データに基づき演算手段１０を介して携帯電話２１のディスプレイ２２に案内図を表示する。【００５７】  次に、携帯電話２１ではプログラムに基づいて携帯電話２１の位置情報受信手段７により周囲のＩＣタグによる位置情報送出手段１２から送出される無線通信による複数の位置情報を受信し、携帯電話２１の演算手段１０により携帯電話２１を有する利用者の現在地を計算して現在地をディスプレイ２２に表示する。【００５８】  続いてプログラムは利用者の目的地情報の入力を促す画面をディスプレイ２２に表示し、指示に基づいて利用者は入場券等に印刷されている指定席やトイレといった目的地情報の数字等を携帯電話２１のテンキーによる入力手段９により入力すれば、携帯電話２１の演算手段１０により利用者の目的地を計算してディスプレイ２２に目的地を表示し、現在地と目的地の最短ルートを演算手段１０により計算して結果をディスプレイ２２に線分で表示する。【００５９】  ディスプレイ２２の表示に従って利用者が目的地に向かって移動すれば、携帯電話２１の情報読み取り手段６により周囲にある複数のＩＣタグ等による位置情報送出手段１２の情報を読み取って演算手段１０により計算して利用者の現在地を更新するのである。【００６０】  以上の結果、利用者は自分の携帯電話２１のみで劇場内の指定席まで容易にたどり着くことができるのである。【００６１】  自分の指定席にたどり着いた利用者がトイレや売店等に行く場合は、入場券に記載されている施設の番号を携帯電話２１のテンキーによる入力手段９により入力することで、利用者の現在地と目的地が演算手段１０により計算されてディスプレイ２２に表示されると共に、目的地までの最短ルートが演算手段１０により計算されてディスプレイ２２に線分にて表示されるのである。【００６２】  これらの動作を繰り返すことにより、利用者が移動しても利用者は常に現在地と目的地の相対関係を利用者が有する携帯電話２１のみで把握することができるので、利用者は劇場内の行きたい場所まで早く自由に行くことができるのである。
【実施例２】
【００６３】  図５は列車内を案内する表示画面の例図であり、限定的空間として駅から駅へと移動する列車を想定した場合の案内画面の例である。【００６４】  携帯機器１としては列車を利用する利用者の携帯電話２１を想定し、携帯電話２１の構成は前記図１の場合と同様である。【００６５】  サーバー２は利用者が列車に乗る乗車駅及び降車駅及び乗車する列車にそれぞれ有しており、アクセスポイント１３は駅構内の任意の位置及び列車の車両の天井等に有しており、ＩＣタグ等による位置情報送出手段１２は駅構内の任意の位置及び列車内の座席一つ一つ及び列車内のトイレ等の設備に有しているものとして説明する。【００６６】  乗車駅にて情報手段１５としてのＱＲカラーコード１６付の指定席乗車券を入手した列車の利用者は、指定席乗車券に印刷されたＱＲカラーコード１６をＱＲカラーコード１６を読み込むことができる自分の携帯電話２１にＱＲカラーコード１６の情報を読み込むことにより、携帯電話２１はＱＲカラーコード１６にて指定された、例えば乗車駅のサーバー２と通信を開始するのである。【００６７】  乗車駅のサーバー２との通信により、乗車駅構内の案内図及び乗車しようとする列車の案内図及び降車駅構内の案内図を携帯電話２１に取り込み、携帯電話２１のディスプレイ２２に乗車駅の案内図を表示し、利用者が乗車しようとする列車のホーム及び乗車位置をディスプレイ２２に表示して案内する。【００６８】  利用者が列車に乗車すると携帯電話２１は列車内のサーバー２と列車内の天井等に設置されたアクセスポイント１３を介して通信を開始し、携帯電話２１のディスプレイ２２には図４で示すような列車内の案内図を表示し、利用者の現在地と目的の指定席がある車両との相対位置及び目的車両の指定席の位置を表示して、利用者の移動に合わせて目的の指定席までを案内するのである。【００６９】  列車の利用者がトイレ等の列車内設備を使用しようとする時は、指定席乗車券に記載された施設の番号を携帯電話２１のテンキーによる入力手段９により数値を入力することにより、設備までの相対位置関係を知ることができ、目的の設備までを案内してくれるのである。【００７０】  利用者が降車駅に降車すると携帯電話２１は降車駅のサーバー２と通信を開始して降車駅の案内図を携帯電話２１のディスプレイ２２に表示し、出口である改札口までを案内するのである。【００７１】  以上の結果、利用者は自分の携帯電話２１のみで列車の乗車券を購入した時点から目的の降車駅を出るまでの間を案内されるので、利用者は迷うことなく目的の駅に到達することができるのである。【００７２】  利用者が指定席乗車券ではなく自由席乗車券を購入したのであれば、自由席の座席に埋め込まれた乗客の有無を感知するセンサーにより乗客の有無を検知すれば、自由席の空席状況を利用者に知らせるといったことも可能である。
【図面の簡単な説明】
【００７３】
【図１】携帯機器に演算機能を有する案内システム及び携帯機器の概念図
【図２】携帯機器に演算機能を有する別の案内システム及び携帯機器の概念図
【図３】サーバーに演算機能を有する案内システム及び携帯機器の概念図
【図４】劇場内を案内する表示画面の例図
【図５】列車内を案内する表示画面の例図
【符号の説明】
【００７４】    １：携帯機器
２：サーバー
３：利用手段
４：サーバーとの通信手段
５：表示手段
６：情報読み取り手段
７：位置情報受信手段
８：位置情報送受信手段
９：入力手段
１０：演算手段
１１：データ格納領域
１２：位置情報送出手段
１３：アクセスポイント
１４：バス
１５：情報手段
１６：ＱＲカラーコード
２１：携帯電話
２２：ディスプレイ
【図１】
2009092634.tif 000003
【図２】
2009092634.tif 000004
【図３】
2009092634.tif 000005
【図４】
2009092634.tif 000006
【図５】
2009092634.tif 000007